(57)【特許請求の範囲】
【請求項１】
支持枠、この支持枠内に配置してある複数のブレードで構成されているブラインド本体、上記ブレードの昇降機構、上記ブレードの角度調整機構、上記昇降機構を操作するための昇降制動体及び昇降操作体、上記角度調整機構を操作するための角度調整制動体及び角度調整操作体並びに弾性体を備えており、
上記支持枠は本体が左右の縦枠と上下の横枠とを組合せた四角形状のフレームであって、正面及び背面の両側から透明板によって挟持されており、
上記支持枠の上方の横枠の下側には内部に収納空間を形成している上カバーを取り付けてあり、
上記昇降機構は、上記ブレードを昇降するための第１及び第２の昇降紐、上記上カバー内に上記横枠に沿って配置している内側の第１及び第２のローラ枠並びに外側のローラ枠である第３のローラ枠、上記第１及び第２のローラ枠並びに第３のローラ枠内に取り付けてある第１及び第２の昇降伝動ローラ並びに昇降伝動中間ローラを備えており、
上記角度調整機構は、回転軸、上記回転軸に取り付けてある内側の第１及び第２の角度調整伝動ローラ並びに外側の角度調整制動ローラ、上記各ブレードの角度を調整するための第１及び第２の角度調整紐並びに角度調整制動紐を備えており、
上記昇降制動体は磁気的吸引部材を設けており、上記支持枠内を上下動可能であると共に、この上下動を通じて上記第１及び第２の昇降紐を制御可能であり、
上記昇降操作体は磁気的吸引部材を設けていると共に、一方の上記透明板外方を上下動可能であり、上記一方の透明板を挟んで上記昇降制動体と互いに磁気力により吸引し合って、一体の関係にあり、
上記角度調整制動体は磁気的吸引部材を設けており、上記支持枠内を上下動可能であると共に、この上下動を通じて上記角度調整制動紐を制御可能であり、
上記角度調整操作体は磁気的吸引部材を設けていると共に、一方の上記透明板外方を上下動可能であり、上記一方の透明板を挟んで上記角度調整制動体と互いに磁気力により吸引し合って、一体の関係にあり、
上記上カバーは、その内側に上記収納空間を形成する互いに対向位置しているカバー部によって組み合わされており、各カバー部が基端から対向側に向けて水平状態に突出している水平部を設けてあり、両水平部がその先端辺から上記基端側に向けてそれぞれ複数の係止孔を切り込んであると共に、互いに上下に重なるように配置されており、重ねられている状態において一方の水平部の上記係止孔と他方の水平部の上記係止孔とが保持孔を形成しており、
上記第１、第２及び第３のローラ枠の各底部には、ガイド孔としてのガイド筒を設けると共に各ガイド筒の外周に係合溝をそれぞれ形成してあり、
上記回転軸は上側の上記横枠に沿って配置されており、上記第１、第２及び第３のローラ枠に回転可能に軸受けされており、
上記第１及び第２の角度調整伝動ローラ並びに角度調整制動ローラは、上記第１、第２及び第３のローラ枠の内部に配置されていると共に、上記第１の角度調整伝動ローラが上記第１の昇降伝動ローラの上方に、上記第２の角度調整伝動ローラが上記第２の昇降伝動ローラの上方に、上記角度調整制動ローラが上記昇降伝動中間ローラの上方にそれぞれ設けられており、
上記第１及び第２の昇降紐は上記ブラインド本体に接続されており、このブラインド本体から第１及び第２のローラ枠内へ上記ガイド筒を通じて導かれており、上記第１の昇降紐が上記第１のローラ枠内の第１の昇降伝動ローラから上記第２のローラ枠を通過して上記第３のローラ枠内の上記昇降伝動中間ローラを経て上記第３のローラ枠のガイド筒を通って下方に位置している上記昇降制動体に導かれ、上記第２の昇降紐が上記第２のローラ枠内の第２の昇降伝動ローラから上記第３のローラ枠内の上記昇降伝動中間ローラを経て上記第３のローラ枠のガイド筒を通って下方に位置している上記昇降制動体に導かれており、
上記第１及び第２の角度調整紐はいずれも対の紐部からなり、両紐部が上記各ブレードの幅方向の両側を挟むように配置され、上記ブラインド本体から第１及び第２のローラ枠内へ上記各ガイド筒を通じて導かれ、第１及び第２の角度調整伝動ローラにそれぞれ掛け回されており、
上記角度調整制動紐は上記第３のローラ枠のガイド筒を通って上記第３のローラ枠内の上記角度調整制動ローラに掛け回され、下方に延伸して上記角度調整制動体に導かれており、
上記第１、第２及び第３のローラ枠は上記上カバーの収納空間内に収納され、各ローラ枠底部の上記ガイド筒が上記保持孔から上記上カバーの下方に突出し、かつ上記ガイド筒の係合溝及びこの係合溝に係合されている上記保持孔を通じて上記上カバーに保持されており、
上記弾性体は上記昇降制動体及び角度調整制動体の少なくともいずれか一方に対応していると共に、上下動可能であってかつ保持ローラを取り付けている保持体に対して引っ張る方向にばね付勢しており、
上記保持ローラには、これが対応している上記昇降制動体に導かれている一方の上記第１及び第２の昇降紐並びに角度調整制動体に導かれている他方の上記角度調整制動紐の少なくともいずれかの紐が掛け回されている
ことを特徴とするブラインド。
【請求項２】
内側の第１及び第２の昇降伝動ローラを挟んで外側の昇降伝動中間ローラである第１の昇降伝動中間ローラと対向側に第２の昇降伝動中間ローラを配置してあり、内側の第１及び第２の角度調整伝動ローラを挟んで外側の角度調整制動ローラである第１の角度調整制動ローラと対向側に第２の角度調整制動ローラを回転軸に取り付けてあり、
上記第１及び第２の昇降紐は上記第２の昇降伝動中間ローラに掛け回し可能であって、この昇降伝動中間ローラを経て下方に延伸可能であり、角度調整制動紐は上記第２の角度調整制動ローラに掛け回し可能であって、かつこの角度調整制動ローラより下方に延伸可能であり、
内側の第１及び第２のローラ枠を挟んで外側のローラ枠である第３のローラ枠と対向側に、底部にガイド孔としてのガイド筒を有する第４のローラ枠を配置してあり、
一体の関係にある昇降制動体及び昇降操作体と、一体の関係にある角度調整制動体及び角度調整操作体とは、それぞれの位置を上記第４のローラ枠の下方に変更可能であり、
上記昇降制動体は上記第１及び第２の昇降紐を、上記角度調整制動体は上記角度調整制動紐をそれぞれ制御可能であり、
上記回転軸は第４のローラ枠に回転可能に軸受けされており、
上記第４のローラ枠は、上記第１、第２及び第３のローラ枠と共に、上記上カバーの収納空間内に収納され、各ローラ枠底部の上記ガイド筒が上記保持孔から上記上カバーの下方に突出し、かつ上記ガイド筒の係合溝及びこの係合溝に係合されている上記保持孔を通じて上記上カバーに保持されており、
上記第４のローラ枠の上記ガイド筒は、上記第１のローラ枠を通過して上記第４のローラ枠の内底部に取り付けてある第２の昇降伝動中間ローラに掛け回し可能である上記第１の昇降紐を下方の上記昇降制動体に導き可能であり、上記第２のローラ枠を通過し上記第１のローラ枠を経て上記第４のローラ枠の上記第２の昇降伝動中間ローラに掛け回し可能である上記第２の昇降紐を下方に導き可能であり、上記第４のローラ枠内の上記第２の角度調整制動ローラからの上記角度調整制動紐を下方に導き可能であることを特徴とする請求項１記載のブラインド。
【請求項３】
第３のローラ枠のガイド筒内は、仕切りによって第１、第２、第３及び第４のガイド通路に仕切られており、第１の昇降紐は上記第１のガイド通路を通過可能であり、上記第２の昇降紐は上記第２のガイド通路を通過可能であり、角度調整制動紐の一方の紐部が上記第３のガイド通路を、他方の紐部が第４のガイド通路をそれぞれ通過可能であることを特徴とする請求項１記載のブラインド。
【請求項４】
第３のローラ枠のガイド筒及び第４のローラ枠のガイド筒の少なくとも一方のガイド筒内は、仕切りによって第１、第２、第３及び第４のガイド通路に仕切られており、第１の昇降紐は上記第１のガイド通路を通過可能であり、上記第２の昇降紐は上記第２のガイド通路を通過可能であり、角度調整制動紐の一方の紐部が上記第３のガイド通路を、他方の紐部が第４のガイド通路をそれぞれ通過可能であることを特徴とする請求項２記載のブラインド。
【請求項５】
保持体の保持ローラには昇降伝動中間ローラから下方に張られている第１及び第２の昇降紐の他端部側を掛け回してあり、上記第１及び第２の昇降紐の他端部は上記昇降制動体に接続されていることを特徴とする請求項１乃至請求項４のいずれかに記載のブラインド。
【発明の詳細な説明】
【技術分野】
【０００１】
この発明は、外部光の遮断や取入れ、目隠しなどに使用されるブラインドに関するものである。
【背景技術】
【０００２】
部屋の窓側に設置して太陽光を取り入れたり、遮光するための複数のブレードによって構成されているブラインドとして、例えば特開平７−３０５５８０号公報及び特開平８−３０３１５５号公報に記載のブラインド（以下「従来例１」及び「従来例２」という。）が提案されている。
従来例１は、水平に設けられた上部取付枠と下部支持板との間に複数枚のブラインド羽根を取付け、これを上下に貫通する昇降ロープを設けると共に、上部取付枠からブラインド羽根の幅方向の両側に設けられ、ブラインド羽根の上下の間隔を保持し、かつブラインド羽根の傾斜角度を調整する角度調整紐を取り付けている。上記昇降ロープ及び角度調整紐の一端側は上部取付枠に設けているストッパーを通って下方に引き出されている。昇降ロープ及び角度調整紐のそれぞれを手に持って操作することにより、ブラインド羽根が上下し、またブラインド羽根の角度が調整される。
従来例２は、上部横杆から適当間隔で垂らした昇降紐を複数の羽根の挿通孔に通し、昇降紐の下端部を下部横杆に止め、昇降紐の上部側は上部横杆の一端側に設けた紐止め機構に延びている。紐止め機構に延びた昇降紐は羽根前面右側に垂下がっている。また羽根の左右前後位置には、羽根の角度調整をするための操作紐が配置されている。昇降紐を操作することにより、羽根の開閉をすることができる。また操作紐を操作することにより、羽根の角度調整をすることができる。
【特許文献１】特開平７−３０５５８０号公報
【特許文献２】特開平８−３０３１５５号公報
【発明の開示】
【発明が解決しようとする課題】
【０００３】
従来例１では、昇降ロープ及び角度調整紐の一端側は上部取付枠に設けているストッパーを通って下方に引き出される構成であり、上記上部取付枠に昇降ロープ及び角度調整紐を外側に引出すための開口を開ける必要があり、昇降ロープ及び角度調整紐がブラインドの外側に露出されているために、次のような問題がある。すなわち、
見栄えが悪いことは当然のこととして、ブラインドを例えば室内のドア内に設置するには不向きであり、ブラインドの適用範囲を広げるためには改善の余地がある。
昇降ロープ及び角度調整紐の操作時にこれらが障害物に当たることがあり、操作がし難いことがある。
従来例２においても、紐止め機構に延びた昇降紐は羽根前面右側に垂下がっており、羽根の角度調整のための操作紐が羽根の左右前後位置に配置されているために、従来例１と同様の課題がある。
この発明の目的は、操作がし易くてブラインドの適用範囲の拡大を図ることにある。
【課題を解決するための手段】
【０００４】
この発明の第１の特徴は、支持枠、この支持枠内に配置してある複数のブレードで構成されているブラインド本体、上記ブレードの昇降機構、上記ブレードの角度調整機構、上記昇降機構を操作するための昇降制動体及び昇降操作体、上記角度調整機構を操作するための角度調整制動体及び角度調整操作体並びに弾性体を備えていることにある。上記支持枠は本体が左右の縦枠と上下の横枠とを組合せた四角形状のフレームであって、正面及び背面の両側から透明板によって挟持されている。上記支持枠の上方の横枠の下側には内部に収納空間を形成している上カバーを取り付けてある。上記昇降機構は、上記ブレードを昇降するための第１及び第２の昇降紐、上記上カバー内に上記横枠に沿って配置している内側の第１及び第２のローラ枠並びに外側のローラ枠である第３のローラ枠、上記第１及び第２のローラ枠並びに第３のローラ枠内に取り付けてある第１及び第２の昇降伝動ローラ並びに昇降伝動中間ローラを備えている。上記角度調整機構は、回転軸、上記回転軸に取り付けてある内側の第１及び第２の角度調整伝動ローラ並びに外側の角度調整制動ローラ、上記各ブレードの角度を調整するための第１及び第２の角度調整紐並びに角度調整制動紐を備えている。上記昇降制動体は磁気的吸引部材を設けており、上記支持枠内を上下動可能であると共に、この上下動を通じて上記第１及び第２の昇降紐を制御可能である。上記昇降操作体は磁気的吸引部材を設けていると共に、一方の上記透明板外方を上下動可能であり、上記一方の透明板を挟んで上記昇降制動体と互いに磁気力により吸引し合って、一体の関係にある。上記角度調整制動体は磁気的吸引部材を設けており、上記支持枠内を上下動可能であると共に、この上下動を通じて上記角度調整制動紐を制御可能である。上記角度調整操作体は磁気的吸引部材を設けていると共に、一方の上記透明板外方を上下動可能であり、上記一方の透明板を挟んで上記角度調整制動体と互いに磁気力により吸引し合って、一体の関係にある。上記上カバーは、その内側に上記収納空間を形成する互いに対向位置しているカバー部によって組み合わされており、各カバー部が基端から対向側に向けて水平状態に突出している水平部を設けてあり、両水平部がその先端辺から上記基端側に向けてそれぞれ複数の係止孔を切り込んであると共に、互いに上下に重なるように配置されており、重ねられている状態において一方の水平部の上記係止孔と他方の水平部の上記係止孔とが保持孔を形成してある。上記第１、第２及び第３のローラ枠の各底部には、ガイド孔としてのガイド筒を設けると共に各ガイド筒の外周に係合溝をそれぞれ形成してある。上記回転軸は上側の上記横枠に沿って配置されており、上記第１、第２及び第３のローラ枠に回転可能に軸受けされている。上記第１及び第２の角度調整伝動ローラ並びに角度調整制動ローラは、上記第１、第２及び第３のローラ枠の内部に配置されていると共に、上記第１の角度調整伝動ローラが上記第１の昇降伝動ローラの上方に、上記第２の角度調整伝動ローラが上記第２の昇降伝動ローラの上方に、上記角度調整制動ローラが上記昇降伝動中間ローラの上方にそれぞれ設けられている。上記第１及び第２の昇降紐は上記ブラインド本体に接続されており、このブラインド本体から第１及び第２のローラ枠内へ上記ガイド筒を通じて導かれており、上記第１の昇降紐が上記第１のローラ枠内の第１の昇降伝動ローラから上記第２のローラ枠を通過して上記第３のローラ枠内の上記昇降伝動中間ローラを経て上記第３のローラ枠のガイド筒を通って下方に位置している上記昇降制動体に導かれ、上記第２の昇降紐が上記第２のローラ枠内の第２の昇降伝動ローラから上記第３のローラ枠内の上記昇降伝動中間ローラを経て上記第３のローラ枠のガイド筒を通って下方に位置している上記昇降制動体に導かれている。上記第１及び第２の角度調整紐はいずれも対の紐部からなり、両紐部が上記各ブレードの幅方向の両側を挟むように配置され、上記ブラインド本体から第１及び第２のローラ枠内へ上記各ガイド筒を通じて導かれ、第１及び第２の角度調整伝動ローラにそれぞれ掛け回されている。上記角度調整制動紐は上記第３のローラ枠のガイド筒を通って上記第３のローラ枠内の上記角度調整制動ローラに掛け回され、下方に延伸して上記角度調整制動体に導かれている。上記第１、第２及び第３のローラ枠は上記上カバーの収納空間内に収納され、各ローラ枠底部の上記ガイド筒が上記保持孔から上記上カバーの下方に突出し、かつ上記ガイド筒の係合溝及びこの係合溝に係合されている上記保持孔を通じて上記上カバーに保持されている。上記弾性体は上記昇降制動体及び角度調整制動体の少なくともいずれか一方に対応していると共に、上下動可能であってかつ保持ローラを取り付けている保持体に対して引っ張る方向にばね付勢している。上記保持ローラには、これが対応している上記昇降制動体に導かれている一方の上記第１及び第２の昇降紐並びに角度調整制動体に導かれている他方の上記角度調整制動紐の少なくともいずれかの紐が掛け回されている。
この発明の第２の特徴は、上記第１の特徴を備えており、内側の第１及び第２の昇降伝動ローラを挟んで外側の昇降伝動中間ローラである第１の昇降伝動中間ローラと対向側に第２の昇降伝動中間ローラを配置してあり、内側の第１及び第２の角度調整伝動ローラを挟んで外側の角度調整制動ローラである第１の角度調整制動ローラと対向側に第２の角度調整制動ローラを回転軸に取り付けてあり、上記第１及び第２の昇降紐は上記第２の昇降伝動中間ローラに掛け回し可能であって、この昇降伝動中間ローラを経て下方に延伸可能であり、角度調整制動紐は上記第２の角度調整制動ローラに掛け回し可能であって、かつこの角度調整制動ローラより下方に延伸可能であり、内側の第１及び第２のローラ枠を挟んで外側のローラ枠である第３のローラ枠と対向側に、底部にガイド孔としてのガイド筒を有する第４のローラ枠を配置してあり、一体の関係にある昇降制動体及び昇降操作体と、一体の関係にある角度調整制動体及び角度調整操作体とは、それぞれの位置を上記第４のローラ枠の下方に変更可能であり、上記昇降制動体は上記第１及び第２の昇降紐を、上記角度調整制動体は上記角度調整制動紐をそれぞれ制御可能であり、上記回転軸は第４のローラ枠に回転可能に軸受けされており、上記第４のローラ枠は、上記第１、第２及び第３のローラ枠と共に、上記上カバーの収納空間内に収納され、各ローラ枠底部の上記ガイド筒が上記保持孔から上記上カバーの下方に突出し、かつ上記ガイド筒の係合溝及びこの係合溝に係合されている上記保持孔を通じて上記上カバーに保持されており、上記第４のローラ枠の上記ガイド筒は、上記第１のローラ枠を通過して上記第４のローラ枠の内底部に取り付けてある第２の昇降伝動中間ローラに掛け回し可能である上記第１の昇降紐を下方の上記昇降制動体に導き可能であり、上記第２のローラ枠を通過し上記第１のローラ枠を経て上記第４のローラ枠の上記第２の昇降伝動中間ローラに掛け回し可能である上記第２の昇降紐を下方に導き可能であり、上記第４のローラ枠内の上記第２の角度調整制動ローラからの上記角度調整制動紐を下方に導き可能であることにある。
この発明の第３の特徴は、上記第１の特徴を備えており、第３のローラ枠のガイド筒内は、仕切りによって第１、第２、第３及び第４のガイド通路に仕切られており、第１の昇降紐は上記第１のガイド通路を通過可能であり、上記第２の昇降紐は上記第２のガイド通路を通過可能であり、角度調整制動紐の一方の紐部が上記第３のガイド通路を、他方の紐部が第４のガイド通路をそれぞれ通過可能であることにある。
この発明の第４の特徴は、上記第２の特徴を備えており、第３のローラ枠のガイド筒及び第４のローラ枠のガイド筒の少なくとも一方のガイド筒内は、仕切りによって第１、第２、第３及び第４のガイド通路に仕切られており、第１の昇降紐は上記第１のガイド通路を通過可能であり、上記第２の昇降紐は上記第２のガイド通路を通過可能であり、角度調整制動紐の一方の紐部が上記第３のガイド通路を、他方の紐部が第４のガイド通路をそれぞれ通過可能であることにある。
この発明の第５の特徴は、上記第１乃至第４のいずれかの特徴を備えており、保持体の保持ローラには昇降伝動中間ローラから下方に張られている第１及び第２の昇降紐の他端部側を掛け回してあり、上記第１及び第２の昇降紐の他端部は上記昇降制動体に接続されていることにある。
【発明の効果】
【０００５】
この発明によれば、露出する紐やロープによることなく、マグネットの磁気力によって一体関係にある対の昇降制動体及び昇降操作体と対の角度調整制動体及び角度調整操作体とを用いてブラインド本体の開閉操作や角度調整操作をすることができるので、これらの操作がし易く、そしてドア内などにも組み込むことができ、その適用範囲の拡大を図ることができる。
この発明によれば、弾性体及び上下動可能である保持体によって紐の破断の抑制を図ることができるので、ブラインドの耐久性の向上に寄与する。
【発明を実施するための最良の形態】
【０００６】
この発明を実施するための一形態を図１〜図２７を参照して説明する。
図１〜図５において、ブラインド１は支持枠２、この支持枠を挟むように配置されている透明板であるガラス板３、両ガラス板間にあって上記支持枠の外周を被覆する弾性封止部材４、上記支持枠内に配置してある複数のブレード５ａからなるブラインド本体５、各ブレードを昇降するための昇降機構６、各ブレードの角度を調整するための角度調整機構７、上記昇降機構を操作するための対の昇降制動体８及び昇降操作体９、上記角度調整機構を操作するための対の角度調整制動体１８及び角度調整操作体１９並びに弾性体２０，５１を備えている。
【０００７】
図４〜図７において、支持枠２の本体は図６左右の縦枠２ａ，２ｂと上下の横枠２ｃ，２ｄとを組み合わせた四角形状のフレームである。縦枠２ａ，２ｂ及び横枠２ｃ，２ｄはいずれも筒体によって形成されている。左右の縦枠２ａ，２ｂのうち、一方（図４右方）の縦枠２ｂは他方の縦枠２ａと対向する内側面に上下方向に長い溝状の走行レール２ｂ１（図７）を設けてあり、走行レールの両側が立ち上がり２ｂ２となっている。
また一方の縦枠２ｂの内側にコ字状の側カバー１０を取り付けてあり、この側カバー内側に収納空間が形成されている（図４）。また図５及び図６に示すように、上方の横枠２ｃの内側にもＬ形カバー部１１ａ，１１ｂを組み合わせたコ字状の上カバー１１を取り付けてあり、この上カバー内側に収納空間が形成されている。
図８において、Ｌ形カバー部１１ａ，１１ｂはいずれも水平部１１ａ１，１１ｂ１に内方から外方に向けてＵ字形に切り込んだ係止孔１１ａ１１，１１ａ１２，１１ａ１３及び係止孔１１ｂ１１，１１ｂ１２，１１ｂ１３を長さ方向（図上下方向）に間隔を隔てて配置してある。図５に示すように、一側（図左側）のＬ形カバー部１１ａの水平部１１ａ１の上に、他方のＬ形カバー部１１ｂの水平部１１ｂ１が重ねられている。重ねられている状態において、係止孔１１ａ１１と係止孔１１ｂ１１、係止孔１１ａ１２と係止孔１１ｂ１２及び係止孔１１ａ１３と係止孔１１ｂ１３がいずれも長孔状の保持孔を形成している。
【０００８】
図４〜図６に示すように、透明の各ガラス板３は支持枠２より一回り大きな四角形状のガラス材であって、支持枠をその両側から挟むように保持している。両ガラス板３間にあって支持枠２の外周は全周に亘って幅ｗの空間１２（図４及び図５）が設けられている。
【０００９】
図１、図４及び図５に示すように、弾性封止部材４は空間１２内に隙間なく充填されており、支持枠２（縦枠２ａ，２ｂ及び横枠２ｃ，２ｄ）の外周全周を被覆している。このために、支持枠２内は密閉状態にある。弾性封止部材４はゴムなどの部材が用いられており、両ガラス板３の対向する内面に密着されている。図４に示すように、弾性封止部材４に圧力調整用棒材２１が貫通されている。圧力調整棒材２１は弾性封止部材４の外側から支持枠２内に達している。支持枠２の外側の圧力の変化に対応して弾性封止部材４が弾性変形して圧力調整用棒材２１の外周面と、この外周面に接触している弾性封止部材の接触面との間が密着状態になったり、又は密着状態が解除される。解除状態である場合には、圧力調整用棒材２１の外周面と弾性封止部材４との間に極めてわずかな隙間があくことから、支持枠２内と支持枠外との間が通じることになる。
【００１０】
図１及び図２に示すブラインド本体５は複数のブレード５ａが水平に所定ピッチを置いて上下方向に配置されており、最下部にブレード板５ｂを設けてある。各ブレード５ａの長さ方向の両側には昇降用孔５ａ１，５ａ２を開けてある。各ブレード５ａは長方形状の長い板からなり、その幅方向（図１０の左右方向）の断面が緩やかな円弧を形成している。
【００１１】
まず、ブレード５ａを昇降するための昇降機構６の概略を説明し、ついでこの昇降機構の具体的構成を説明し、さらに昇降機構を操作するための対の昇降制動体８及び昇降操作体９について説明する。
図９において、ブレード５ａの昇降機構６は複数の昇降紐として、図示の例では第１及び第２の昇降紐１３，１４を備えている。第１及び第２の昇降紐１３，１４は一端部１３ａ，１４ａ側でブラインド本体５の各ブレード５ａを貫通して最下部を吊り下げ保持し、第１及び第２の昇降紐の上下動によって各ブレード５ａが昇降する。第１及び第２の昇降紐１３，１４はブラインド本体５の上側で第１及び第２の昇降伝動ローラ１５，１６に掛け回され、外側（図９右側）に水平方向に引き出され、昇降伝動中間ローラ１７を経てそれぞれ下方に延伸され、さらに他端部側で昇降制動体８の下方に位置している保持ローラ３３に掛け回され、上方に延ばされて他端部１３ｂ，１４ｂが昇降制動体の下部に固着されている。
昇降制動体８と、これに対向近接してある上下動可能である昇降操作体９とはいずれも磁気的吸引部材であるマグネット４３，４４を装着してあり（図２０）、対向しているマグネットの磁気力により互いに吸引し合って、一体の関係にある。
昇降操作体９を上下動させると、昇降制動体８も昇降操作体の移動に伴って同一方向に移動する。この移動によって、昇降制動体８が例えば図９上方に移動すれば、保持ローラ３３に掛け回されている第１及び第２の昇降紐１３，１４は上方に引っ張られるから、ブラインド本体５の各ブレード５ａが上昇し、開放可能となる。
反対に、昇降制動体８が下方に移動すれば、第１及び第２の昇降紐１３，１４は下方に引戻されるから、ブラインド本体５の各ブレード５ａが降下し、閉鎖可能となる。
【００１２】
ブレード５ａの昇降機構６の具体的構成を主に図１０〜図１９を参照して説明する。
昇降機構６は、図１０〜図１２に示すように、第１及び第２の昇降紐１３，１４、内側の複数のローラ枠（図１２では第１及び第２のローラ枠３０，３１）、外側の複数又は単一の外側のローラ枠（図１２では第３のローラ枠３２）、内側の複数の昇降伝動ローラ（図１２では第１及び第２の昇降伝動ローラ１５，１６）、外側の複数又は単一の昇降伝動ローラ（図１２では昇降伝動中間ローラ１７）並びに保持ローラ３３（図１６）を備えている。
図１０及び図１１に示す第１及び第２の昇降紐１３，１４は、最上に位置しているブレード５ａから最下端に位置するブレード板５ｂ（図１）までを昇降用孔５ａ１，５ａ２を通じて挿通し、それぞれの紐下端がブレード板に接続されている。第１及び第２の昇降紐１３，１４は上側で第１、第２及び第３のローラ枠３０，３１，３２の第１、第２の昇降伝動ローラ１５，１６及び昇降伝動中間ローラ１７を経て昇降制動体８の保持ローラ３３に掛け回されている。
【００１３】
図１０〜図１５において、第１及び第２のローラ枠３０，３１はいずれも同一構成である。第１及び第２のローラ枠３０，３１はプラスチック部材によって正面溝形に形成されており、両側に軸受け３０ａ，３１ａを起立してある。第１及び第２のローラ枠３０，３１の軸受け３０ａ，３１ａには上方にＵ字形の受け溝を、下方の両側に対の縦長の通孔３０ａ１，３０ａ２，３０ａ３，３０ａ４及び通孔３１ａ１，３１ａ２，３１ａ３，３１ａ４（図１３）を貫通してある。また第１及び第２のローラ枠３０，３１の内底部に第１及び第２の昇降伝動ローラ１５，１６を取り付けてある。さらに、第１及び第２のローラ枠３０，３１の底部に下端にガイド孔としてつば部を有するガイド筒３０ｂ，３１ｂを設けてあり、ガイド筒の外周が係合溝３０ｃ，３１ｃになっている。
第１及び第２のローラ枠３０，３１のガイド筒３０ｂ，３１ｂは図１２〜図１４に示すように第１及び第２の昇降紐１３，１４を第１及び第２のローラ枠内に案内するための孔の機能を果たしている。
第３のローラ枠３２は、ガイド筒の構成を除いて第１及び第２のローラ枠３０，３１と同一であるので、相違点のみを説明する。
ガイド孔であるガイド筒３２ｂはその取付け位置が図１２右側にずらされていると共に、内部には十字状の仕切り３２ｄによって４つのガイド通路３２ｅ１，３２ｅ２，３２ｅ３，３２ｅ４を形成してある（図１３及び図１４）。第１及び第２のガイド通路３２ｅ１，３２ｅ２は昇降伝動中間ローラ１７寄りに配置され、第３及び第４のガイド通路３２ｅ３，３２ｅ４はその反対側に配置されている。
第３のローラ枠３２はその内底部に昇降伝動中間ローラ１７を取り付けている。軸受け３２ａ、受け溝及び通孔３２ａ１，３２ａ２，３２ａ３，３２ａ４は、第１及び第２のローラ枠３０，３１における軸受け３０ａ，３１ａ、受け溝及び通孔３０ａ１〜３０ａ４，３１ａ１〜３１ａ４に対応している。
第３のローラ枠３２のガイド筒３２ｂは、図１２〜図１４に示すように第１及び第２の昇降紐１３，１４を下側の昇降制動体８（図１６）に導くための孔の機能を果たしている。
図１３に示すように、第１のローラ枠の通孔３０ａ１，３０ａ４、第２のローラ枠の通孔３１ａ１，３１ａ４及び第３のローラ枠の通孔３２ａ１，３２ａ４は同一直線上に配置され、また第１のローラ枠の通孔３０ａ２，３０ａ３、第２のローラ枠の通孔３１ａ２，３１ａ３及び第３のローラ枠の通孔３２ａ２，３２ａ３は同一直線上に配置されている。
第１、第２及び第３のローラ枠３０，３１，３２は、図１５に示すように、上カバー１１によって被覆されていると共に、各ガイド筒３０ｂ，３１ｂ，３２ｂを通じて上カバーのＬ形カバー部１１ａ，１１ｂの水平部に保持されている。
保持状態を説明すると、第１のローラ枠３０はガイド筒３０ｂの係合溝３０ｃ内に図１５（ア）に示すように、両側からＬ形カバー部１１ａ，１１ｂの水平部の係止孔１１ａ１１，１１ｂ１１が差し込まれ、第２のローラ枠３１はガイド筒３１ｂの係合溝３１ｃ内に図１５（イ）に示すように、両側から水平部の係止孔１１ａ１２，１１ｂ１２が差し込まれ、第３のローラ枠３２はガイド筒３２ｂの係合溝３２ｃ内に図１５（ウ）に示すように、両側から水平部の係止孔１１ａ１３，１１ｂ１３が差し込まれ、各ガイド筒が各係止孔を介して左右のＬ形カバー部１１ａ，１１ｂによって挟まれ、保持されている。
【００１４】
第１及び第２の昇降紐１３，１４の配置について説明する。
図１２〜図１５に示すように、第１の昇降伝動ローラ１５に掛け回されている第１の昇降紐１３は、その一端部側でガイド筒３０ｂを貫通してブラインド本体５を吊り（図１）、他端部側が第１の昇降伝動ローラから第１のローラ枠３０の通孔３０ａ４を通過し、第２のローラ枠３１の通孔３１ａ１，３１ａ４を通って、第３のローラ枠３２の通孔３２ａ１を貫通し、昇降伝動中間ローラ１７を経てガイド筒３２ｂの第１のガイド通路３２ｅ１を通って下方に導かれて、昇降制動体８の下方に配置されている保持ローラ３３に掛け回されて上方に引き出されて、他端部１３ｂは昇降制動体８に固着されている（図１６）。
図１２〜図１５に示すように、第２の昇降伝動ローラ１６に掛け回されている第２の昇降紐１４は、その一端部側でガイド筒３１ｂを貫通してブラインド本体５を吊り（図１）、他端部側が第２の昇降伝動ローラから第２のローラ枠３１の通孔３１ａ３を通過し、第３のローラ枠３２の通孔３２ａ２を貫通し、昇降伝動中間ローラ１７を経てガイド筒３２ｂの第２のガイド通路３２ｅ２を通って下方に導かれて、昇降制動体８の下方に配置されている保持ローラ３３に掛け回されて上方に引き出されて、他端部１４ｂは昇降制動体８に固着されている（図１６）。
【００１５】
保持ローラ３３は、図１６及び図１７に示すように縦枠２ｂに取り付けられている保持体３４の軸受け部３４ａに軸３５を回転中心として支持されている。保持体３４は図１６、図１７及び図１９に示すようにその上下２箇所に長孔３４ｂを開けてある。各長孔３４ｂ内には止めねじ３６が上下動可能に位置している。このため、保持体３４は縦枠２ｂに対して止めねじ３６を介して上下動可能である。保持体３４の軸受け部３４ａ間には保持ローラ３３が位置している。保持体３４は弾性体である引っ張りばね２０によって図１６下方にばね付勢されている。引っ張りばね２０は図１６に示す例ではコイルスプリングからなり、その一端は保持体３４の軸受け部３４ａの下部に設けてあるばね受け３４ｃに、他端は縦枠２ｂから突出している止め部材３７に掛け止められている。
【００１６】
対の昇降制動体８及び昇降操作体９の具体的構成について、主に図４、図１６〜図１８、図２０及び図２１を参照して説明する。
昇降制動体８はその本体が角柱体状に形成されており、側面片側（図１６右側）に走行ローラ３８を取り付けてある。走行ローラ３８はローラ軸３９を中心として回転可能である。昇降制動体８は走行ローラ３８を通じて縦枠２ｂの走行レール２ｂ１上を昇降（上下動）可能である。また昇降制動体８には、補助走行ローラ４０を正面側にローラ軸４１を回転中心として取り付けてある。昇降制動体８は補助走行ローラ４０を通じて縦枠２ｂの側カバー１０内面上を昇降（上下動）可能であって、安定的走行を可能にしている。昇降制動体８の内部に磁性板４２を側方（図１７左方及び右方）に抜き取り可能に差し入れてある。磁性板４２に磁気的吸引部材であるマグネット４３を吸着してある。マグネット４３は図１７及び図１８に示す例では平面四角形のブロック状のマグネット体を３個並べて昇降制動体８の収納部内に納めてある。各マグネット４３の正面側は広い面となっており、この面が縦枠２ｂの走行レール２ｂ１に対向状態に露出されている。
【００１７】
昇降操作体９について、図１、図４、図２０〜図２２を参照して説明する。
昇降操作体９はプラスチックによって立方体状に成形されており、中央部に凹部９ａを設けて把持し易くしている。昇降操作体９は内部に磁気的吸引部材であるマグネット４４を収納してある。マグネット４４は上記昇降制動体８のマグネット４３と同一構成である。マグネット４４の端面は昇降操作体９の背面より露出されている。図２０に示すように、昇降操作体９のマグネット４４は昇降制動体８のマグネット４３と正面のガラス板３を挟んで対向位置関係にあって、互いに磁気力によって吸引されており、この吸引力によって昇降制動体８と昇降操作体９とは常時一体化され、その位置が維持される。
図４及び図２２に示す昇降操作体９は片側（図４右側）に断面Ｔ字状のガイド突部９ｂを設けてある。昇降操作体９はガラス板３に面する側にローラ４５を設けてあり、ローラがガラス板上を円滑に走行可能としている。一方（図２右方）のガラス板３の正面（前面）上にガイドレール４６が上下方向に配置されかつ固着されている。ガイドレール４６には図２１に示すように、長さ方向にガイドスリット４６ａを開けてある。ガイドスリット４６ａ内には図４に示すように昇降操作体９のガイド突部９ｂが組み込まれている。ガイドレール４６には、三箇所にストッパ４７ａ，４７ｂ，４７ｃを装着してある。昇降操作体９はガイドレール４６に沿ってガラス板３上を円滑にかつ図２１の上下動（昇降）可能であり、ガイド突部９ｂはストッパ４７ａ，４７ｂ間のガイドスリット４６ａ内を移動可能である。ストッパ４７ａ，４７ｂ間が昇降操作体９の昇降許容範囲である。
【００１８】
昇降制動体８と昇降操作体９との関係について、図４及び図２０〜図２１を参照して説明する。
昇降制動体８と昇降操作体９とはガラス板３を挟んで対向位置関係にある。対向位置関係の維持は、昇降制動体８のマグネット４３と昇降操作体９のマグネット４４とが互いに磁気力によって吸引し合うことによって達成される。このようなマグネット４３，４４の磁気力によって、昇降操作体９は、ガラス板３上での位置保持が可能となり、昇降操作体の上下動により昇降制動体は昇降操作体の移動方向と同じ方向に移動が可能となる。
【００１９】
昇降機構６は上記構成であるから、図１及び図２０に示すように昇降制動体８を上昇（上動）させると、走行ローラ３８を通じて縦枠２ｂの走行レール２ｂ１上を上方に移動し、この移動に伴って保持ローラ３３に掛け回されている第１及び第２の昇降紐１３，１４を上方に引っ張るから、第１及び第２の昇降紐はブレード板５ｂを上方に持ち上げ、このため各ブレード５ａが上方に押し上げられてブラインド本体５は収縮され、この結果、ブラインド本体５は「閉」から「開」の状態に移行される。
反対に、昇降制動体８を降下（下動）させると、走行ローラ３８を通じて縦枠２ｂの走行レール２ｂ１上を下方に移動し、この移動に伴って保持ローラ３３に掛け回されている第１及び第２の昇降紐１３，１４の引っ張り状態が緩み、第１及び第２の昇降紐はブレード板５ｂを下方に落下させ、このためブラインド本体５は伸張される。この結果、ブラインド本体５は「開」から「閉」の状態に移行される。
図示の例では、特に、「閉」から「開」の状態に移行される過程では、保持ローラ３３に掛け回されている第１及び第２の昇降紐１３，１４は上方に引っ張られ、この保持ローラを谷として「Ｕ」字状に屈曲して、屈曲部分に負荷がかかるが、その際に引っ張りばね２０のばね力に抗して保持体３４が上昇し、保持ローラも上方に移動するので、保持ローラを通じて第１及び第２の昇降紐１３，１４にかかる負荷を緩衝することになり、第１及び第２の昇降紐の破断を抑制することができる。
保持体３４は図１９（ア）に示す通常の位置から同図（イ）に示す位置に上昇することにより、さらに上方へ移動することにより、上記負荷の緩衝を効果的なものとする。
【００２０】
ブレード５ａの角度を調整するための角度調整機構７の概略を説明し、ついでこれらの機構の具体的構成を説明し、さらに角度調整機構を操作するための対の角度調整制動体１８及び角度調整操作体１９について説明する。
図９において、ブレード５ａの角度調整機構７は、回転軸２２に間隔を置いて配置してある複数の角度調整伝動ローラ（図では第１及び第２の角度調整伝動ローラ２３，２４）並びに複数又は単一の角度調整制動ローラ（図では角度調整制動ローラ２５）を固定していると共に、複数又は単一の角度調整制動紐（図では角度調整制動紐２８）を備えている。
第１の角度調整伝動ローラ２３には第１の角度調整紐２６の上側を掛け回し、第２の角度調整伝動ローラ２４には第２の角度調整紐２７の上側を掛け回してある。第１及び第２の角度調整紐２６，２７の下側はブラインド本体５の各ブレード５ａをその両側で吊り下げ保持している。
角度調整制動ローラ２５の下方に保持ローラ２９を設けてあり、この角度調整制動ローラと保持ローラとの間に角度調整制動紐２８を掛け回してある。角度調整制動紐２８には角度調整制動体１８を介在させてある。換言すると、角度調整制動体１８の両側に角度調整制動紐２８の両端を接続し、無端状の角度調整制動紐は角度調整制動ローラ２５と保持ローラ２９との間に掛け回されている。
角度調整操作体１９を所定距離だけ上下動させると、角度調整制動体１８も角度調整操作体の移動に伴って同一方向に移動し、この移動により角度調整制動ローラ２５と保持ローラ２９との間に掛け回わされている角度調整制動紐２８は時計方向に又は反時計方向に移動され、同時に角度調整制動ローラが正転又は反転され、角度調整制動ローラの回転力が回転軸２２を通じて第１及び第２の角度調整伝動ローラ２３，２４に伝達されて正転又は反転される。この結果、第１及び第２の角度調整紐２６，２７が上下動してブラインド本体５の各ブレード５ａの角度が調整される。
【００２１】
ブレード５ａの角度を調整するための角度調整機構７の具体的構成について、図１、図１０〜図１５、図２０〜図２１及び図２３〜図２６を参照して説明する。
角度調整機構７は、図１２及び図２３に示すように回転軸２２、第１及び第２の角度調整伝動ローラ２３，２４、角度調整制動ローラ２５、第１及び第２の角度調整紐２６，２７、角度調整制動紐２８及び保持ローラ２９を備えている。
【００２２】
回転軸２２は、図１に示すように横枠２ｃに沿って水平方向に配置されており、第１、第２及び第３のローラ枠３０，３１，３２の軸受け３０ａ，３１ａ，３２ａに回転可能に軸受けされている（図１２）。
【００２３】
図１及び図１２に示すように第１及び第２の角度調整伝動ローラ２３，２４並びに角度調整制動ローラ２５は、軸心を貫通している回転軸２２にそれぞれ間隔を隔てて取付けられている。
第１及び第２の角度調整伝動ローラ２３，２４はいずれも同一構成である。第１及び第２の角度調整伝動ローラ２３，２４は第１及び第２のローラ枠内３０，３１に配置されており、中間部に円周方向に全周に保持溝２３ａ，２４ａを形成してある。第１及び第２の角度調整伝動ローラ２３，２４には、図１２に示すように各保持溝２３ａ，２４ａを通じて第１の角度調整紐２６（２６ａ，２６ｂ）（図１０）及び第２の角度調整紐２７（２７ａ，２７ｂ）（図１１）がそれぞれ掛け回されている。
角度調整制動ローラ２５は、回転軸２２の一端側（図１２右端側）に設けられている第３のローラ枠３２内に配置されている。角度調整制動ローラ２５の端部に円周方向に全周に保持溝２５ａを形成してある。角度調整制動ローラ２５には保持溝２５ａを通じて角度調整制動紐２８が掛け回されている。
【００２４】
第１の角度調整紐２６及び第２の角度調整紐２７は、図１０及び図１１に示すようにそれぞれ２本の紐部２６ａ，２６ｂ及び紐部２７ａ，２７ｂからなる。紐部２６ａ，２６ｂ及び紐部２７ａ，２７ｂは第１及び第２の角度調整伝動ローラ２３，２４から下方に向けてブレード５ａの幅方向の両側からこれを挟むように垂れ下がり、各下端部がブレード板５ｂ（図１）に接続されている。対向する第１の角度調整紐２６の紐部２６ａ，２６ｂの間及び第２の角度調整紐２７の紐部２７ａ，２７ｂの間には、それぞれブレード５ａの底部を支えるブレード保持紐２６ｃ，２７ｃを渡してある。
【００２５】
図２３及び図２４に示すように、角度調整制動紐２８は角度調整制動ローラ２５に掛け回されて、下方に延びている一端部２８ａが角度調整制動体１８の上端部に止められ、他端部２８ｂ側が角度調整制動体の背部を通って保持ローラ２９に掛け回されて上方に引き出されて角度調整制動体１８の下端に止められている。保持ローラ２９は縦枠２ｂに固定されている保持体４８に取り付けられている。
図２３〜図２７において、保持体４８はその上下２箇所に長孔４８ｂを開けてある。各長孔４８ｂ内には止めねじ４９が上下動可能に位置している。保持体４８は縦枠２ｂに対して止めねじ４９を介して上下動可能である。保持体４８には図１及び図２３に示すようにブレード側に向けてＬ形の軸受け部４８ａを設け、保持ローラ２９が軸受け部内にローラ軸５０（図２６）を回転中心として配置されている。保持体４８は弾性体である引っ張りばね５１によって図下方にばね付勢されている。引っ張りばね５１はコイルスプリングからなり、その一端は軸受け部４８ａの下部に設けてあるばね受け４８ｃに、他端は縦枠２ｂから突出している止め部材５２に掛け止められている。
【００２６】
対の角度調整制動体１８及び角度調整操作体１９の具体的構成について、主に図４、図２０、図２１、図２３〜図２５を参照して説明する。
対の角度調整制動体１８及び角度調整操作体１９は対の昇降制動体８及び昇降操作体９と同一構成であるので、その詳細な説明を省略する。
角度調整制動体１８における走行ローラ１３８、ローラ軸１３９、補助走行ローラ１４０、ローラ軸１４１、磁性板１４２及び磁気的吸引部材であるマグネット１４３は、昇降制動体８における走行ローラ３８、ローラ軸３９、補助走行ローラ４０、ローラ軸４１、磁性板４２及びマグネット４３にそれぞれ対応している。
角度調整操作体１９における凹部１９ａ、ガイド突部１９ｂ及び磁気的吸引部材であるマグネット１４４は、昇降操作体９における凹部９ａ、ガイド突部９ｂ及びマグネット４４にそれぞれ対応している。
角度調整操作体１９のガイド突部１９ｂはガイドスリット４６ａ内に組み込まれている。角度調整操作体１９はガイドレール４６に沿って図２１の上下動（昇降）可能であり、ガイド突部１９ｂはストッパ４７ｂ，４７ｃ間のガイドスリット４６ａ内を移動可能である。ストッパ４７ｂ，４７ｃ間が角度調整操作体１９の昇降許容範囲である。
【００２７】
角度調整制動体１８と角度調整操作体１９との関係についても、上述した昇降制動体８と昇降操作体９との関係と同様である。
角度調整制動体１８と角度調整操作体１９とは、図２０及び図２１に示すようにガラス板３を挟んで対向位置関係にある。対向位置関係の維持は、角度調整制動体１８のマグネット１４３と角度調整操作体１９のマグネット１４４とが互いに磁気力によって吸引し合うことによって達成される。このようなマグネット１４３，１４４の磁気力によって、角度調整操作体１９は、ガラス板３上での位置保持が可能となり、角度調整操作体の上下動により角度調整制動体１８は角度調整操作体の移動方向と同じ方向に移動が可能となる。
【００２８】
角度調整機構７は上記構成であるから、角度調整制動体１８をわずかな距離上下動させると、走行ローラ１３８を通じて縦枠２ｂの走行レール２ｂ１上を上下動し、角度調整制動紐２８は角度調整制動体に接続され、かつ角度調整制動ローラ２５と保持ローラ２９との間に無端状に掛け回されているので、角度調整制動体の移動に伴って角度調整制動紐２８が上下動するから、上下動した距離に対応する角度分だけ角度調整制動ローラ２５が正転及び反転をし、同時に回転軸２２を通じて第１及び第２の角度調整伝動ローラ２３，２４（図１）が正転又は反転をするから、対向している第１の角度調整紐２６の紐部２６ａ，２６ｂの一方が、そして第２の角度調整紐２７の紐部２７ａ，２７ｂの一方が下方に引っ張られ、他方が上方に引っ張られるから、保持紐２６ｃ，２７ｃが水平状態から下向きの傾斜状態に、下向きの傾斜状態から水平状態に又は水平状態から上向きの傾斜状態に変化するため、この変化に追従して各ブレード５ａの角度が変化して、角度調整がされる。
角度調整過程において、保持ローラ２９に掛け回されている角度調整制動紐２８は上方に引っ張られると、この保持ローラを谷として「Ｕ」字状に屈曲して、屈曲部分に負荷がかかるが、その際に引っ張りばね５１のばね力に抗して保持体４８が上昇し保持ローラも上方に移動するので、保持ローラにおける負荷を緩衝することになり、角度調整制動紐２８の破断を抑制することができる。
保持体４８は図２６（ア）に示す通常の位置から同図（イ）に示す位置に上昇することにより、さらに上方へ移動することにより、上記負荷の緩衝を効果的なものとする。
【００２９】
ブラインド本体５の開閉及びブレード５ａの角度調整について説明する。
ブラインド本体５を全開又は一部開放するためには、図１及び図２０に示すように昇降操作体９を上昇させると、昇降操作体と対向して互いに吸引関係にある昇降制動体８も縦枠２ｂの走行レール２ｂ１上を上方に移動し、この移動に伴って第１及び第２の昇降紐１３，１４が上方に引っ張られ、ブレード板５ｂは第１及び第２の昇降紐を介して上方に持ち上げられ、このため各ブレード５ａが上方に押し上げられてブラインド本体５は収縮され、開放される。
ブラインド本体５を全閉又は一部閉鎖するためには、図１及び図２０に示すように昇降操作体９を降下させると、昇降制動体８も降下され、縦枠２ｂの走行レール２ｂ１上を降下し、この降下に伴って第１及び第２の昇降紐１３，１４の引っ張り状態が緩み、ブレード板５ｂは降下するためブラインド本体５は伸張され、閉鎖される。
ブラインド本体５のブレード５ａの角度を調整して遮光するためには、図１及び図２１に示すように、角度調整操作体１９を所定距離だけ上昇（上動）させると、角度調整制動体１８も角度調整操作体の移動に伴って同一方向に移動し、この移動により角度調整制動ローラ２５と保持ローラ２９との間に掛け回してある角度調整制動紐２８は反時計方向に移動され、同時に角度調整制動ローラも反時計方向に回転され、角度調整制動ローラの回転力が回転軸２２を通じて第１及び第２の角度調整伝動ローラ２３，２４に伝達されて図１０及び図１１反時計方向に回転される。この結果、第１及び第２の角度調整紐２６，２７の紐部２６ａ，２７ａが降下し、紐部２６ｂ，２７ｂが上昇するから、図５に示すようにブラインド本体５の各ブレード５ａは右肩上がりに傾斜され、遮光される。
図５に示す状態から、光を取り入れるためには、角度調整操作体１９を所定距離だけ降下させることにより、角度調整制動ローラ２５を通じて第１及び第２の角度調整伝動ローラ２３，２４は時計方向に回転され、第１及び第２の角度調整紐２６，２７の紐部２６ａ，２７ａが上昇し、紐部２６ｂ，２７ｂが降下するから、図１０及び図１１に示すようにブラインド本体５の各ブレード５ａが水平の状態になった段階で角度調整操作体１９の移動を停止する。
【００３０】
図２７に示すドアＤは、図１に示すブラインド１を組み込んでいる適用例である。
ドアＤは、ブラインド１の開閉及びブレードの角度調整のための操作用の開口部がなく、紐も露出されておらず、外観の見栄えが良く、ブラインド１内を真空状態に密閉することにより、この種のブラインドを窓側の扉又はドアに配置すれば結露防止が図られる。
また図１に示すブラインド１を高層住宅のドアに取り付けた場合でも、ブラインド１内に圧力調整用棒材２１（図４）を組み込んであるので、ブラインド内の圧力調整が自動的に行える。
【００３１】
この発明を実施するための他の形態について図２８〜図３９を参照して説明する。
図示するブラインド１Ａに係る構成の特徴は、対の昇降制動体８Ａ及び昇降操作体９Ａと、角度調整制動体１８Ａ及び角度調整操作体１９Ａとをブラインドの両側にそれぞれ配置している点にある。このため、外側に位置しているローラ枠として、第３のローラ枠３２とは別に第１のローラ枠３０及び第２のローラ枠３１を挟んで、第３のローラ枠と対向側（図３４左側）に外側のローラ枠である第４のローラ枠３２Ａを設け、この第４のローラ枠内に角度調整制動ローラ２５とは別の角度調整制動ローラ２５Ａを配置している。
ブラインド１Ａの他の構成は、図１に示すブラインド１のそれと実質的に同一であるので、共通する構成部分について説明する上で用いる符号をブラインド１に使用した符号と一致させて対応関係を明確にしている。
以下、この発明に係る形態の特徴を説明し、ブラインド１と共通する構成に関しては必要に応じて説明する。
【００３２】
図２８〜図３１において、ブラインド１Ａの支持枠２Ａの本体は左右の縦枠２ａ，２ｂと上下の横枠２ｃ，２ｄとを組み合わせた四角形状のフレームであって、両縦枠の内側にコ字状の側カバー１０，１０Ａを取り付けてある。また上方の横枠２ｃの内側にもＬ形カバー部１１Ａａ，１１Ａｂを組み合わせたコ字状の上カバー１１Ａを取り付けてある。
図３２に示すように、Ｌ形カバー部１１Ａａ，１１Ａｂはいずれも水平部１１ａ１，１１ｂ１に内方から外方に向けてＵ字形に切り込んだ係止孔１１ａ１１，１１ａ１２，１１ａ１３，１１ａ１３Ａ及び係止孔１１ｂ１１，１１ｂ１２，１１ｂ１３，１１ｂ１３Ａを長さ方向（図上下方向）に間隔を隔てて配置してある。
図３１に示すように、一側（図左側）のＬ形カバー部１１Ａａの水平部１１ａ１の上に、他方のＬ形カバー部１１Ａｂの水平部１１ｂ１が重ねられている。重ねられている状態において、係止孔１１ａ１１と係止孔１１ｂ１１、係止孔１１ａ１２と係止孔１１ｂ１２、係止孔１１ａ１３と係止孔１１ｂ１３及び係止孔１１ａ１３Ａと係止孔１１ｂ１３Ａが長孔状の保持孔を形成している。
Ｌ形カバー部１１Ａａ，１１Ａｂは、水平部１１ａ１，１１ｂ１の対の係止孔１１ａ１１と係止孔１１ｂ１１、係止孔１１ａ１２と係止孔１１ｂ１２、係止孔１１ａ１３と係止孔１１ｂ１３及び係止孔１１ａ１３Ａと係止孔１１ｂ１３Ａが、後述する第１、第２、第３及び第４のローラ枠３０，３１，３２，３２Ａ（図３４）のガイド筒３０ｂ，３１ｂ，３２ｂ，３２Ａｂの係合溝３０ｃ，３１ｃ，３２ｃ，３２Ａｃに差し込まれた状態で第１、第２、第３及び第４のローラ枠を保持している。
【００３３】
図３６〜図３９において、昇降制動体８Ａと昇降操作体９Ａはブラインド本体５のブレード５ａの昇降機構６Ａを操作するものであり、また角度調整制動体１８Ａと角度調整操作体１９Ａとはブラインド本体５のブレード５ａの角度調整機構７Ａを操作するものである。
図２８に示す例では、対の昇降制動体８Ａと昇降操作体９Ａは正面側のガラス板３の前面の右側に、また対の角度調整制動体１８Ａと角度調整操作体１９Ａは正面側のガラス板の前面の左側にそれぞれ配置されている。
【００３４】
図２８及び図３３〜図３６において、ブレード５ａの昇降機構６Ａは前記昇降機構６と同一構成であるので、その説明を省略する。
図２８及び図３３〜図３６において、ブレード５ａの角度調整機構７Ａは回転軸２２Ａと、この回転軸に取り付けられている内側の第１及び第２の角度調整伝動ローラ２３，２４並びに外側の角度調整制動ローラ２５，２５Ａを備えている。
外側の一方の角度調整制動ローラ２５Ａは回転軸２２Ａの図３３及び図３４の左端に固着されている。角度調整制動ローラ２５Ａと保持ローラ２９との間に角度調整制動紐２８Ａを掛け回してある。すなわち、角度調整制動紐２８Ａの図３４上端側は角度調整制動ローラ２５Ａの保持溝２５Ａａ内に掛け回され、紐下端側は保持体４８に取り付けられている保持ローラ２９に掛け回されている。角度調整制動紐２８Ａには角度調整制動体１８Ａを介在させてある。角度調整制動ローラ２５Ａは第４のローラ枠３２Ａに配置されている。
図３４及び図３５において、第４のローラ枠３２Ａは第３のローラ枠３２と同一構成である。第４のローラ枠３２Ａの軸受け３２Ａａ、通孔３２Ａａ１，３２Ａａ２，３２Ａａ３，３２Ａａ４、ガイド筒３２Ａｂ、係合溝３２Ａｃ、仕切り３２Ａｄ、ガイド通路３２Ａｅ１，３２Ａｅ２，３２Ａｅ３，３２Ａｅ４は、第３のローラ枠３２の軸受け３２ａ、通孔３２ａ１，３２ａ２，３２ａ３，３２ａ４、ガイド筒３２ｂ、係合溝３２ｃ、仕切り３２ｄ、ガイド通路３２ｅ１，３２ｅ２，３２ｅ３，３２ｅ４にそれぞれ対応している。
図３５に示すように、第１のローラ枠３０の通孔３０ａ１，３０ａ４、第２のローラ枠３１の通孔３１ａ１，３１ａ４、第３のローラ枠３２の通孔３２ａ１，３２ａ４及び第４のローラ枠３２Ａの通孔３２Ａａ１，３２Ａａ４は同一直線上に配置され、また第１のローラ枠の通孔３０ａ２，３０ａ３、第２のローラ枠の通孔３１ａ２，３１ａ３、第３のローラ枠の通孔３２ａ２，３２ａ３及び第４のローラ枠の通孔３２Ａａ２，３２Ａａ３は同一直線上に配置されている。
【００３５】
図３６〜図３８において、昇降制動体８Ａは前記昇降制動体８と同一構成であり、また昇降操作体９Ａは前記昇降操作体９と同一構成であり、さらに対の昇降制動体８Ａと昇降操作体９Ａとの関係に関しても対の昇降制動体８と昇降操作体９との関係と同様である。
図３７に示すガイドレール４６Ａ１及びガイドスリット４６Ａ１ａは前記ガイドレール４６及びガイドスリット４６ａに対応するものである。
昇降操作体９Ａは、ガイド突部９ｂを介してガイドレール４６Ａ１のガイドスリット４６Ａ１ａに沿って上下動可能である。ガイドレール４６Ａ１の両端にストッパ４７ｄ，４７ｅを取り付けてある。両ストッパ４７ｄ，４７ｅ間が昇降操作体９Ａの昇降許容範囲である。
【００３６】
図３６、図３７及び図３９において、角度調整制動体１８Ａは前記角度調整制動体１８と同一構成であり、また角度調整操作体１９Ａは前記角度調整操作体１９と同一構成であり、さらに対の角度調整制動体１８Ａと角度調整操作体１９Ａとの関係に関しても対の角度調整制動体１８と角度調整操作体１９との関係と同様である。
角度調整制動体１８Ａは走行ローラ１３８を通じて縦枠２ａの走行レール２ａ１（図３０）上を昇降（上下動）可能である。角度調整制動体１８Ａは補助走行ローラ１４０を通じて縦枠２ａの側カバー１０Ａ内面上を昇降（上下動）可能であって、安定的走行を可能にしている。またマグネット１４３の正面の端面は縦枠２ａに対向状態に露出されている。
図３７に示すガイドレール４６Ａ２及びガイドスリット４６Ａ２ａは前記ガイドレール４６及びガイドスリット４６ａに対応するものである。
角度調整操作体１９Ａは、ガイド突部１９ｂを介してガイドレール４６Ａ２のガイドスリット４６Ａ２ａに沿って上下動可能である。ガイドレール４６Ａ２の両端にストッパ４７ｆ，４７ｇを取り付けてある。両ストッパ４７ｆ，４７ｇ間が角度調整操作体１９Ａの昇降許容範囲である。
【００３７】
図３３において、ブラインド本体５を全開又は一部開放するためには、図右側に位置している昇降操作体９Ａを上昇させると、昇降制動体８Ａも上昇し、この移動に伴って保持ローラ３３を介して第１及び第２の昇降紐１３，１４が上方に引っ張られるから、ブレード５ａは上方に持ち上げられ、押し上げられてブラインド本体５は収縮され、開放される。
ブラインド本体５を全閉又は一部閉鎖するためには、昇降操作体９Ａを降下させると、昇降制動体８Ａも降下され、この移動に伴って第１及び第２の昇降紐１３，１４の引っ張り状態が緩み、ブレード５ａは降下するためブラインド本体５は伸張され、閉鎖される。
【００３８】
図３３左側に位置している角度調整操作体１９Ａを上下動させると、角度調整制動体１８Ａも角度調整操作体の移動に伴って同一方向に移動し、この移動により、角度調整制動ローラ２５Ａと保持ローラ２９との間に掛け回してある角度調整制動紐２８Ａは時計方向に又は反時計方向に移動され、同時に角度調整制動ローラ２５Ａが正転又は反転され、その回転力が回転軸２２Ａを通じて第１及び第２の角度調整伝動ローラ２３，２４に伝達されて正転又は反転される。この結果、第１及び第２の角度調整紐２６，２７が上下動してブラインド本体５の各ブレード５ａの角度が調整される。
【００３９】
図２８に示す例では、対の昇降制動体８Ａと昇降操作体９Ａと、対の角度調整制動体１８Ａと角度調整操作体１９Ａとが左右に離れて配置されているので、他方（図３３右方）の角度調整制動ローラ２５の保持溝２５ａには角度調整制動紐が掛け回されておらず、また図３４に示す第４のローラ枠３２Ａの内底部に取り付けてある昇降伝動中間ローラ１７Ａには昇降紐が掛け回されていない。
【００４０】
図１及び図２８に示すブラインド１，１Ａにおいて、支持枠２，２Ａをガラス板３で挟み、弾性封止部材４によって外周を封止して支持枠内を密閉にしかつ一体化することにより、内部の真空化を実現することができ、真空化が結露防止に有効である。また一体化により、ブラインド１，１Ａを室内のドアＤなどにも容易に組み込むことができ、適用範囲を広げることができる。さらに、圧力調整用棒材２１により、ブラインド１，１Ａを高層建物に使用した場合でも支持枠２，２Ａ内の圧力が自動的に調整されるから、圧力変化に自在に対応できる。ブラインド１，１Ａの開閉のための操作をマグネット４３を有する昇降制動体８，８Ａとマグネット４４を有する昇降操作体９，９Ａによって行い、またブレード５ａの角度調整のための操作をマグネット１４３を有する角度調整制動体１８，１８Ａとマグネット１４４を有する角度調整操作体１９，１９Ａとによって行うので、ブラインドに開口部を開ける必要がなく、このために外観美に優れ、支持枠内の密封が容易に実現でき、ドア、壁の開口部又は窓のサッシなどにも簡単に取り付けることができる。
図１及び図２８に示すブラインド１，１Ａは支持枠２，２Ａを透明板３で挟持して外周を弾性封止部材４により封止し、全体がユニット化されているので、運搬や取付け作業の迅速化や簡易化に寄与する。
上下動可能である保持体３４，４８に引っ張りばね２０，５１を接続しているので、第１及び第２の昇降紐１３，１４並びに角度調整制動紐２８，２８Ａに負荷がかかっても、その負荷を吸収して、紐の破損を抑制することができる。
【００４１】
図１に示すブラインド１において、角度調整操作体１９を図右側にかつ上方に、昇降操作体９を同一側の下方に配置したが、上下関係を逆にしても良い。そして設置場所などに応じて昇降操作体９及び角度調整操作体１９を図１左側に配置しても良い。この場合には、図９上の図を縦方向の中心線を軸として半転させた構成となる。すなわち、図９左側から右側に向けて角度調整制動ローラ２５、第２の角度調整伝動ローラ２４及び第１の角度調整伝動ローラ２３が並び、同様に昇降伝動中間ローラ１７、第２の昇降伝動ローラ１６及び第１の昇降伝動ローラ１５が並ぶのである。そして第１の昇降紐１３は第１の昇降伝動ローラ１５から第２の昇降伝動ローラ１６及び昇降伝動中間ローラ１７を経て保持ローラ３３に導かれ、第２の昇降紐１４は第２の昇降伝動ローラ１６から昇降伝動中間ローラ１７を経て保持ローラ３３に導かれる。角度調整制動紐２８は角度調整制動ローラ２５に掛け回される。
図２８に示すブラインド１Ａにおいて、昇降操作体９Ａを図右側に、角度調整操作体１９Ａを図左側に配置したが、左右の関係を逆にしても良い。左右の関係を逆にした場合は、図３３上の図を縦方向の中心線を軸として半転させた構成となる。すなわち、図３３左側から右側に向けて一方の角度調整制動ローラ２５、第２の角度調整伝動ローラ２４、第１の角度調整伝動ローラ２３及び他方の角度調整制動ローラ２５Ａが並び、同様に昇降伝動中間ローラ１７、第２の昇降伝動ローラ１６、第１の昇降伝動ローラ１５及び昇降伝動中間ローラ１７Ａが並ぶのである。そして第１の昇降紐１３は第１の昇降伝動ローラ１５から第２の昇降伝動ローラ１６及び昇降伝動中間ローラ１７を経て保持ローラ３３に導かれ、第２の昇降紐１４は第２の昇降伝動ローラ１６から昇降伝動中間ローラ１７を経て保持ローラ３３に導かれる。角度調整制動紐２８Ａは角度調整制動ローラ２５Ａに掛け回される。
また図２８に示すブラインド１Ａにおいて、上述した左右の関係を逆にした場合、半転させることなく、第１及び第２の昇降紐１３，１４の引き出す方向を図３３の左方向にし、また角度調整制動紐２８Ａを角度調整制動ローラ２５Ａから角度調整制動ローラ２５に切り換えて角度調整制動ローラ２５に掛け回せば良い。第１の昇降紐１３は第１の昇降伝動ローラ１５から昇降伝動中間ローラ１７Ａ（図３４）を経て保持ローラ３３に導き、第２の昇降紐１４は第２の昇降伝動ローラ１６から第１の昇降伝動ローラ１５及び昇降伝動中間ローラ１７Ａを経て保持ローラ３３に導く。角度調整制動紐２８Ａを角度調整制動ローラ２５（図３３）に掛け回す。
図２８に示すブラインド１Ａにおいて、図３４及び図３５に示すように、回転軸２２Ａの両端側にいずれも同一構成の外側のローラ枠３２，３２Ａ、昇降伝動中間ローラ１７，１７Ａ並びに角度調整制動ローラ２５，２５Ａを配置することによりガラス板３に対する昇降操作体９Ａ及び角度調整操作体１９Ａの左右のいずれかの一方の取付け位置を任意に選択することができ、また片側でかつ上下のいずれかの一方の取付け位置も任意に選択することができる。
【００４２】
図１及び図２８に示すブラインド１，１Ａにおいて、その構成部品を共通化しながらも、多様な昇降機構６，６Ａや角度調整機構７，７Ａを備えたブラインドを製造することができる。もちろん、例えば第１及び第２のローラ枠３０，３１、第３及び第４のローラ枠３２，３２Ａ、第１及び第２の昇降伝動ローラ１５，１６、第１及び第２の角度調整伝動ローラ２３，２４、外側の角度調整制動ローラ２５，２５Ａ、昇降制動体８，８Ａ及び角度調整制動体１８，１８Ａ、昇降操作体９，９Ａ及び角度調整操作体１９，１９Ａなどのように構成部品を共通化することにより、製造や組み立てを容易にしているが、共通化はこの発明に必要不可欠なものではない。
必ずしも弾性封止部材４によって支持枠２，２Ａ内を密閉にすることを要しない。
昇降操作体９，９Ａ及び角度調整操作体１９，１９Ａの操作手段は手動でもまた自動でも良い。昇降操作体９，９Ａ及び角度調整操作体１９，１９Ａを自動操作する場合に、例えば上記各操作体の本体にモータを組み込んで、リモートコントロールによってモータを制御して内蔵しているローラ４５，１４５を介して走行可能にしても良い。
昇降操作体９，９Ａ及び角度調整操作体１９，１９Ａの配置位置に関しても、図示の例では正面のガラス板３の左右両側又は片側としているが、これらの例に限定されるものではなく、上辺側又は下辺側でも良く、また正面（前面）に限られず、側面側であっても良く、適宜である。
昇降紐の本数は図１及び図２８に示す例においては第１及び第２の昇降紐１３，１４の２本で構成されているが、ブラインド１，１Ａの長さや幅などの条件に応じて３本以上であっても良い。昇降伝動ローラの数は昇降紐の本数に対応するものである。
図３４に示す例では、昇降伝動中間ローラ１７Ａ及び外側の角度調整制動ローラ２５Ａを設けなくても良い。
負荷緩衝手段としての弾性体２０及び弾性体５１に関して、弾性体２０は昇降制動体８，８Ａに対応して設けられ、弾性体５１は角度調整制動体１８，１８Ａに対応して設けられているが、昇降制動体及び角度調整制動体の双方に対応して設けるのが紐の破断抑制の観点から望ましいものであるが、いずれか一方に対応して設けるものであっても良く、また例えば開閉操作や角度調整操作をあまり繰り返し行わないブラインドや、構成を簡単にするなどの観点から弾性体２０，５１を設けなくても良い。弾性体２０，５１はコイルスプリングに限定されず、例えば板ばねなどの弾性部材であっても良い。
保持ローラ３３の取付け位置は図３３に示す例に限定されず、例えば昇降制動体８，８Ａの上端部内に設置して第１及び第２の昇降紐１３，１４の他端部１３ｂ，１４ｂを縦枠に固定した止め部材に接続するようにしても良い。
対の昇降制動体８，８Ａ及び昇降操作体９，９Ａは双方を磁気的吸引部材であるマグネット４３，４４によって、また対の角度調整制動体１８，１８Ａ及び角度調整操作体１９，１９Ａの双方も磁気的吸引部材であるマグネット１４３，１４４によって互いに磁気による吸引関係を強力に維持できるようにしているが、磁気的吸引部材は必ずしもこの例に限定されず、両マグネット４３，４４のうち一方のみを磁気的吸引部材としてのマグネットとし、他方を磁気的吸引部材としての磁性体としても良く、同様に両マグネット１４３，１４４のうち一方のみをマグネットとし、他方を磁気体としても良い。
【図面の簡単な説明】
【００４３】
【図１】この発明に係るブラインドを示す一部切欠正面図である。
【図２】この発明に係るブラインドを示す正面図である。
【図３】図２の左側面図である。
【図４】図１のＩＶ−ＩＶ線拡大断面図である。
【図５】図１のＶ−Ｖ線拡大断面図である。
【図６】この発明に係るブラインドにおける支持枠を示す一部切欠拡大正面図である。
【図７】この発明に係るブラインドにおける一方の縦枠を示す拡大側面図である。
【図８】この発明に係るブラインドにおける上カバーを分解して示す拡大平面図である。
【図９】この発明に係るブラインドにおけるブレードの昇降機構及び角度調整機構の概略を示す構成図である。
【図１０】この発明に係るブラインドにおけるブレード、第１の昇降紐、第１の角度調整紐、第１の昇降伝動ローラ及び第１の角度調整伝動ローラの相互関係を側面側から示す拡大断面図である。
【図１１】この発明に係るブラインドにおけるブレード、第２の昇降紐、第２の角度調整紐、第２の昇降伝動ローラ及び第２の角度調整伝動ローラの相互関係を側面側から示す拡大断面図である。
【図１２】この発明に係るブラインドにおける第１及び第２の角度調整伝動ローラ並びに角度調整制動ローラの取付け状態を示す拡大正面図である。
【図１３】図１２のＸＩＩＩ−ＸＩＩＩ線断面図である。
【図１４】図１２のＸＩＶ−ＸＩＶ線拡大断面図である。
【図１５】この発明に係るブラインドにおける第１、第２及び第３のローラ枠と上カバーとの関係を示す一部断面拡大側面図である。
【図１６】この発明に係るブラインドにおける昇降制動体と第１及び第２の昇降紐との関係を示す拡大正面図である。
【図１７】この発明に係るブラインドにおける昇降制動体と第１及び第２の昇降紐との関係を示す拡大側面図である。
【図１８】図１６のＸＶＩＩＩ−ＸＶＩＩＩ線拡大断面図である。
【図１９】保持体の拡大側面図であって、（ア）は保持体の通常の位置を、（イ）は保持体が移動した位置をそれぞれ示すものである。
【図２０】この発明に係るブラインドにおける昇降制動体と昇降操作体との関係、角度調整制動体と角度調整操作体との関係をそれぞれ示す一部断面拡大側面図である。
【図２１】この発明に係るブラインドにおける昇降操作体及び角度調整操作体の取り付け状態を示す拡大正面図である。
【図２２】この発明に係るブラインドにおける昇降操作体を示す拡大背面図である。
【図２３】この発明に係るブラインドにおける角度調整制動体と角度調整制動紐との関係を示す拡大正面図である。
【図２４】この発明に係るブラインドにおける角度調整制動体と角度調整制動紐との関係を示す拡大側面図である。
【図２５】図２３のＸＸＶ−ＸＸＶ線拡大断面図である。
【図２６】保持体の拡大側面図であって、（ア）は保持体の通常の位置を、（イ）は保持体が移動した位置をそれぞれ示すものである。
【図２７】この発明に係るブラインドを片開き室内ドアに適用した例を示す正面図である。
【図２８】この発明に係るブラインドの他の形態を示す正面図である。
【図２９】図２８の側面図である。
【図３０】図２８のＸＸＸ−ＸＸＸ線拡大断面図である。
【図３１】この発明に係るブラインドにおける支持枠の他の例を示す一部切欠拡大正面図である。
【図３２】この発明に係るブラインドにおける上カバーの他の例を分解して示す拡大平面図である。
【図３３】この発明に係るブラインドにおけるブレードの昇降機構及び角度調整機構の他の例の概略を示す構成図である。
【図３４】この発明に係るブラインドにおける第１及び第２の角度調整伝動ローラ並びに角度調整制動ローラの取付け状態を示す拡大正面図である。
【図３５】図３４のＸＸＸＶ−ＸＸＸＶ線断面図である。
【図３６】この発明に係るブラインドにおける昇降制動体と第１及び第２の昇降紐との関係、角度調整制動体と角度調整制動紐との関係をそれぞれ示す一部断面正面図である。
【図３７】この発明に係るブラインドにおける昇降操作体及び角度調整操作体の取り付け状態を示す拡大正面図である。
【図３８】図３７のＸＸＸＶＩＩＩ−ＸＸＸＶＩＩＩ線断面図である。
【図３９】図３７のＸＸＸＩＸ−ＸＸＸＩＸ線断面図である。
【符号の説明】
【００４４】
１，１Ａ                    ブラインド
２，２Ａ                    支持枠
２ａ，２ｂ                  縦枠
３                          ガラス板（透明板）
４                          弾性封止部材
５                          ブラインド本体
５ａ                        ブレード
６，６Ａ                    昇降機構
７，７Ａ                    角度調整機構
８，８Ａ                    昇降制動体
９，９Ａ                    昇降操作体
１０，１０Ａ                側カバー
１１，１１Ａ                上カバー
１１ａ，１１ｂ Ｌ形カバー部（カバー部）
１１ａ１，１１ｂ１ 水平部
１１ａ１１，１１ａ１２，１１ａ１３ 係止孔
１１ｂ１１，１１ｂ１２，１１ｂ１３ 係止孔
１１Ａａ，１１Ａｂ Ｌ形カバー部（カバー部）
１１ａ１３Ａ，１１ｂ１３Ａ 係止孔
１２                                  空間
１３                        第１の昇降紐
１４                        第２の昇降紐
１５                        第１の昇降伝動ローラ
１６                        第２の昇降伝動ローラ
１７，１７Ａ                昇降伝動中間ローラ
１８，１８Ａ                角度調整制動体
１９，１９Ａ                角度調整操作体
２０                        引っ張りばね（弾性体）
２１                        圧力調整用棒材
２２，２２Ａ                回転軸
２３                        第１の角度調整伝動ローラ
２４                        第２の角度調整伝動ローラ
２５，２５Ａ                角度調整制動ローラ
２６                        第１の角度調整紐
２７                        第２の角度調整紐
２８，２８Ａ                角度調整制動紐
２９                        保持ローラ
３０                        第１のローラ枠
３０ｂ ガイド筒（ガイド孔）
３０ｃ 係合溝
３１                        第２のローラ枠
３１ｂ ガイド筒（ガイド孔）
３１ｃ 係合溝
３２                        第３のローラ枠（外側のローラ枠）
３２ｂ ガイド筒（ガイド孔）
３２ｃ 係合溝
３２ｄ 仕切り
３２ｅ１ 第１のガイド通路
３２ｅ２ 第２のガイド通路
３２ｅ３ 第３のガイド通路
３２ｅ４ 第４のガイド通路
３２Ａ                      第４のローラ枠（外側のローラ枠）
３２Ａｂ ガイド筒（ガイド孔）
３２Ａｃ 係合溝
３２Ａｄ 仕切り
３２Ａｅ１ 第１のガイド通路
３２Ａｅ２ 第２のガイド通路
３２Ａｅ３ 第３のガイド通路
３２Ａｅ４ 第４のガイド通路
３３                        保持ローラ
３４                        保持体
３８                        走行ローラ
４０                        補助走行ローラ
４２                        磁性板
４３                        昇降制動体のマグネット（磁気的吸引部材）
４４                        昇降操作体のマグネット（磁気的吸引部材）
４５                        ローラ
４６，４６Ａ１，４６Ａ２    ガイドレール
４８                        保持体
５１                        引っ張りばね（弾性体）
１３８                      走行ローラ
１４０                      補助走行ローラ
１４２                      磁性板
１４３                      角度調整制動体のマグネット（磁気的吸引部材）
１４４                      角度調整操作体のマグネット（磁気的吸引部材）
Ｄ                          ドア
【図１】
0005102563.tif 000002
【図２】
0005102563.tif 000003
【図３】
0005102563.tif 000004
【図４】
0005102563.tif 000005
【図５】
0005102563.tif 000006
【図６】
0005102563.tif 000007
【図７】
0005102563.tif 000008
【図８】
0005102563.tif 000009
【図９】
0005102563.tif 000010
【図１０】
0005102563.tif 000011
【図１１】
0005102563.tif 000012
【図１２】
0005102563.tif 000013
【図１３】
0005102563.tif 000014
【図１４】
0005102563.tif 000015
【図１５】
0005102563.tif 000016
【図１６】
0005102563.tif 000017
【図１７】
0005102563.tif 000018
【図１８】
0005102563.tif 000019
【図１９】
0005102563.tif 000020
【図２０】
0005102563.tif 000021
【図２１】
0005102563.tif 000022
【図２２】
0005102563.tif 000023
【図２３】
0005102563.tif 000024
【図２４】
0005102563.tif 000025
【図２５】
0005102563.tif 000026
【図２６】
0005102563.tif 000027
【図２７】
0005102563.tif 000028
【図２８】
0005102563.tif 000029
【図２９】
0005102563.tif 000030
【図３０】
0005102563.tif 000031
【図３１】
0005102563.tif 000032
【図３２】
0005102563.tif 000033
【図３３】
0005102563.tif 000034
【図３４】
0005102563.tif 000035
【図３５】
0005102563.tif 000036
【図３６】
0005102563.tif 000037
【図３７】
0005102563.tif 000038
【図３８】
0005102563.tif 000039
【図３９】
0005102563.tif 000040